【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
デバイスであって、
前記デバイスの動作モードを、デバイスのネットワーク接続を支援する機能を少なくとも有する外部サービスと連携し、前記デバイスのネットワーク設定を行う第１動作モードに遷移するためのユーザ操作を受け付ける受付手段と、
前記ユーザ操作を受け付けたことに従って、前記デバイスを所定の規則を満たすＳＳＩＤ（Ｓｅｒｖｉｃｅ  Ｓｅｔ  Ｉｄｅｎｔｉｆｉｅｒ）で外部から識別されるアクセスポイントとして機能させる動作を開始するとともに、前記外部サービスからネットワーク設定を受信し当該受信したネットワーク設定を前記デバイスに設定するための設定機能の動作を開始する開始手段と、
前記デバイスが有するジョブ実行機能に関連するデータを、前記デバイスが提供するアクセスポイントを介して通信する目的で前記デバイスの前記アクセスポイントを使用する第２動作モードで前記デバイスを動作させる場合、前記デバイスを前記所定の規則を満たさないＳＳＩＤで外部から識別されるアクセスポイントとして機能させる制御手段と、
を有し、
前記デバイスが前記第２動作モードで動作している場合に、前記外部サービスから前記ネットワーク設定を受信したとしても、当該受信したネットワーク設定は前記デバイスに設定されないことを特徴とするデバイス。
【請求項２】
前記所定の規則を満たすＳＳＩＤは、所定のＩｏＴ標準規格で定義されたＳＳＩＤの命名規則を満たすＳＳＩＤであることを特徴とする請求項１に記載のデバイス。
【請求項３】
ＳＳＩＤを記憶する記憶手段を更に有し、
前記開始手段は、前記第１動作モードに遷移するためのユーザ操作を受け付けた場合に、前記記憶手段に記憶されたＳＳＩＤに基づいて、前記所定の規則を満たすＳＳＩＤを生成し、当該生成されたＳＳＩＤで外部から識別されるアクセスポイントとして前記デバイスを動作させ、
前記制御手段は、前記デバイスの動作モードを、前記第２動作モードに遷移する指示を受け付けたことに従って、前記記憶手段に記憶された前記ＳＳＩＤに基づいて、前記所定の規則を満たさないＳＳＩＤを生成し、当該生成されたＳＳＩＤで外部から識別されるアクセスポイントとして前記デバイスを動作させることを特徴とする請求項１に記載のデバイス。
【請求項４】
前記記憶手段に記憶されたＳＳＩＤが所定のフォーマットを満たしているか否かを判定する判定手段を更に有し、
前記判定手段は、予め記憶された所定の文字列パターンに合致する文字列が前記ＳＳＩＤに含まれている場合に、所定のフォーマットを満たしていると判定することを特徴とする請求項３に記載のデバイス。
【請求項５】
前記受付手段は、更に、前記デバイスが前記第１動作モードで動作している場合に、前記第１動作モードでの動作を終了するユーザ操作を受け付けることが可能であることを特徴とする請求項１乃至４のいずれか１項に記載のデバイス。
【請求項６】
前記第１動作モードでの動作を終了するユーザ操作を受け付けた場合に、前記所定の規則を満たすＳＳＩＤで外部から識別されるアクセスポイントとしての動作を停止するよう制御し、且つ、前記設定機能によって、前記外部サービスから前記ネットワーク設定を受信しても、前記デバイスのネットワーク設定が変更されないよう前記デバイスの動作を変更する停止制御手段を更に有することを特徴とする請求項５に記載のデバイス。
【請求項７】
前記デバイスは、印刷手段を更に有し、
前記ジョブ実行機能は、前記印刷手段を用いて、外部から受信した印刷データに基づく画像をシートに印刷する印刷処理を実行する機能を少なくとも含むことを特徴とする請求項１乃至６のいずれか１項に記載のデバイス。
【請求項８】
前記外部サービスは、外部の通信装置にインストールされる印刷アプリケーションにより提供されることを特徴とする請求項７に記載のデバイス。
【請求項９】
前記外部サービスから受信する前記ネットワーク設定は、ＳＳＩＤとセキュリティキーを少なくとも含み、前記設定機能は、前記ＳＳＩＤとセキュリティキーを用いて前記デバイスが外部アクセスポイントと無線接続を行う際に使用する接続設定を変更することを特徴とする請求項１乃至８のいずれか１項に記載のデバイス。
【請求項１０】
前記第１動作モード又は前記第２動作モードで動作するデバイスが外部に提供する前記アクセスポイントは、ＩＥＥＥ８０２．１１シリーズに準拠するアクセスポイントであることを特徴とする請求項１乃至９のいずれか１項に記載のデバイス。
【請求項１１】
アクセスポイントとして機能することが可能なデバイスの制御方法であって、
前記デバイスの動作モードを、デバイスのネットワーク接続を支援する機能を少なくとも有する外部サービスと連携し、前記デバイスのネットワーク設定を行う第１動作モードに遷移するためのユーザ操作を受け付ける受付工程と、
前記ユーザ操作を受け付けたことに従って、前記デバイスを所定の規則を満たすＳＳＩＤ（Ｓｅｒｖｉｃｅ  Ｓｅｔ  Ｉｄｅｎｔｉｆｉｅｒ）で外部から識別されるアクセスポイントとして機能させる動作を開始するとともに、前記外部サービスからネットワーク設定を受信し当該受信したネットワーク設定を前記デバイスに設定するための設定機能の動作を開始する開始工程と、
前記デバイスが有するジョブ実行機能に関連するデータを、前記デバイスが提供するアクセスポイントを介して通信する目的で前記デバイスの前記アクセスポイントを使用する第２動作モードで前記デバイスを動作させる場合、前記デバイスを前記所定の規則を満たさないＳＳＩＤで外部から識別されるアクセスポイントとして機能させる制御工程と、
を有し、
前記デバイスが前記第２動作モードで動作している場合に、前記外部サービスから前記ネットワーク設定を受信したとしても、当該受信したネットワーク設定は前記デバイスに設定されないことを特徴とする制御方法。
【請求項１２】
アクセスポイントとして機能することが可能なデバイスのコンピュータに、
前記デバイスの動作モードを、デバイスのネットワーク接続を支援する機能を少なくとも有する外部サービスと連携し、前記デバイスのネットワーク設定を行う第１動作モードに遷移するためのユーザ操作を受け付ける受付工程と、
前記ユーザ操作を受け付けたことに従って、前記デバイスを所定の規則を満たすＳＳＩＤ（Ｓｅｒｖｉｃｅ  Ｓｅｔ  Ｉｄｅｎｔｉｆｉｅｒ）で外部から識別されるアクセスポイントとして機能させる動作を開始するとともに、前記外部サービスからネットワーク設定を受信し当該受信したネットワーク設定を前記デバイスに設定するための設定機能の動作を開始する開始工程と、
前記デバイスが有するジョブ実行機能に関連するデータを、前記デバイスが提供するアクセスポイントを介して通信する目的で前記デバイスの前記アクセスポイントを使用する第２動作モードで前記デバイスを動作させる場合、前記デバイスを前記所定の規則を満たさないＳＳＩＤで外部から識別されるアクセスポイントとして機能させる制御工程と、
を実行させるためのプログラムであって、
前記デバイスが前記第２動作モードで動作している場合に、前記外部サービスから前記ネットワーク設定を受信したとしても、当該受信したネットワーク設定は前記デバイスに設定されないことを特徴とするプログラム。
【請求項１３】
デバイスであって、
前記デバイスの動作モードを、デバイスのネットワーク接続を支援する機能を少なくとも有する外部サービスと連携し、前記デバイスのネットワーク設定を行う第１動作モードに遷移するためのユーザ操作を受け付ける受付手段と、
前記ユーザ操作を受け付けたことに従って、前記デバイスを所定の規則を満たすＳＳＩＤ（Ｓｅｒｖｉｃｅ  Ｓｅｔ  Ｉｄｅｎｔｉｆｉｅｒ）で外部から識別されるアクセスポイントとして機能させる動作を開始するとともに、前記外部サービスからネットワーク設定を受信し当該受信したネットワーク設定を前記デバイスに設定するための設定機能の動作を開始する開始手段と、
前記デバイスが有するジョブ実行機能に関連するデータを、前記デバイスが提供するアクセスポイントを介して通信する目的で前記デバイスの前記アクセスポイントを使用する第２動作モードで前記デバイスを動作させる場合に使用すべきＳＳＩＤをユーザ操作に基づき設定する設定手段と、
を有し、
前記設定手段は、前記第２動作モードで前記デバイスを動作させる場合に使用すべきＳＳＩＤの設定として、前記所定の規則を満たすＳＳＩＤが設定されないよう制御することを特徴とするデバイス。
【請求項１４】
ユーザ操作に基づき入力された第２動作モードで前記デバイスを動作させる場合に使用すべきＳＳＩＤが所定の規則を満たすか否かを判定する判定手段を更に有し、
前記判定手段は、予め記憶された所定の文字列パターンに合致する文字列が前記第２動作モードで前記デバイスを動作させる場合に使用すべきＳＳＩＤに含まれている場合に、前記所定の規則を満たしていると判定することを特徴とする請求項１３に記載のデバイス。
【手続補正２】
【補正対象書類名】明細書
【補正対象項目名】発明の名称
【補正方法】変更
【補正の内容】
【発明の名称】デバイス、デバイスの制御方法及びプログラム
【手続補正３】
【補正対象書類名】明細書
【補正対象項目名】００１５
【補正方法】変更
【補正の内容】
【００１５】
上記の目的を達成するために本発明の１つの側面としてのデバイスは、デバイスであって、前記デバイスの動作モードを、デバイスのネットワーク接続を支援する機能を少なくとも有する外部サービスと連携し、前記デバイスのネットワーク設定を行う第１動作モードに遷移するためのユーザ操作を受け付ける受付手段と、前記ユーザ操作を受け付けたことに従って、前記デバイスを所定の規則を満たすＳＳＩＤ（Ｓｅｒｖｉｃｅ  Ｓｅｔ  Ｉｄｅｎｔｉｆｉｅｒ）で外部から識別されるアクセスポイントとして機能させる動作を開始するとともに、前記外部サービスからネットワーク設定を受信し当該受信したネットワーク設定を前記デバイスに設定するための設定機能の動作を開始する開始手段と、前記デバイスが有するジョブ実行機能に関連するデータを、前記デバイスが提供するアクセスポイントを介して通信する目的で前記デバイスの前記アクセスポイントを使用する第２動作モードで前記デバイスを動作させる場合、前記デバイスを前記所定の規則を満たさないＳＳＩＤで外部から識別されるアクセスポイントとして機能させる制御手段と、を有し、前記デバイスが前記第２動作モードで動作している場合に、前記外部サービスから前記ネットワーク設定を受信したとしても、当該受信したネットワーク設定は前記デバイスに設定されないことを特徴とする。